(57)【要約】【課題】本発明は、従来の書籍管理票の製造工程を利用して製造でき、かつ、電子ペンを利用し、サーバー等へのデータ取り込みが容易に行なえる電子ペン用書籍管理票の提供を目的とする。【解決手段】書籍管理票より書籍の種類を特定する書籍コード情報を含む書籍管理情報を取り込み、取り込んだ情報をサーバー等に伝達するためのに、電子ペンの読取ユニットにより光学的に読取可能なドットパターン領域を書籍管理票に設けることにより解決した。【選択図】　図７
2004118575.tif 000002
【特許請求の範囲】
【請求項１】
書籍の注文、返品、在庫などの管理を行うために書籍に付して使用する短冊形状の書籍管理票において、
インクペンユニットと光学的にドットパターンを読み取る読取ユニット及び読み取った情報を外部に伝達する情報伝達手段とを備える電子ペンにより、書籍の種類を特定する書籍コード情報を含む書籍管理情報を取得するために、
前記書籍管理票は、前記読取ユニットにより光学的に読取可能に設けられたドットパターン領域を備えていることを特徴とする電子ペン用書籍管理票。
【請求項２】
前記書籍管理票のドットパターン領域には、書籍管理情報の記入部、及び／又は書籍管理情報読み取り用パターンと、
を備えていることを特徴とする請求項１記載の電子ペン用書籍管理票。
【請求項３】
前記書籍管理票の表側の面には、目視可能な書籍管理情報を形成し、
前記書籍管理票の裏側の面には、前記ドットパターンが形成されていること、
を特徴とする請求項１または２記載の電子ペン用書籍管理票。
【請求項４】
前記読み取り用パターンはバーコードであること、
を特徴とする請求項１乃至３の何れかに記載の電子ペン用書籍管理票。
【請求項５】
前記読み取り用パターンはチェックボックスであり、各チェックボックス毎に予め定められたドットパターンが形成されていること、
を特徴とする請求項１乃至３の何れかに記載の電子ペン用書籍管理票。
【請求項６】
前記ドットパターンを裏側の面に形成し、前記表側の面に形成した目視可能な書籍管理情報の少なくとも一部を折返すことで、前記ドットパターンの形成され面から、前記書籍管理情報の少なくとも一部を目視可能にしたこと、
を特徴とする請求項５記載の電子ペン用書籍管理票。
【請求項７】
前記書籍管理票には、電子ペンが読み取った情報を、当該電子ペンから外部装置へ送信することを指示するための送信指示に対応するドットパターンの形成された送信指示部を有すること、
を特徴とする請求項１乃至６の何れかに記載の電子ペン用書籍管理票。
【請求項８】
前記書籍管理票には、電子ペンが読み取った情報を、１枚の書籍管理票から得られる情報を単位レコードとして区切るための区切り指示に対応するドットパターンの形成された区切り指示部を有すること、
を特徴とする請求項１乃至７の何れかに記載の電子ペン用書籍管理票。
【請求項９】
前記ドットパターンは書籍の種類ごとに異なるパターンであることを特徴とする請求項１記載の電子ペン用書籍管理票。
【請求項１０】
前記ドットパターンは書籍を発注する書店ごとに異なるパターンであること　を特徴とする請求項１記載の電子ペン用書籍管理票。
【発明の詳細な説明】
【０００１】
【発明の属する技術分野】
本発明は、書籍の注文、返品、在庫などの管理を行うために書籍に付して使用する短冊形状の書籍管理票に関する発明であって、特に、インクペンユニットと光学的にドットパターンを読み取る読取ユニット及び読み取った情報を送信する通信ユニットとを備える電子ペンにより記入あるいは情報取得する機能を有する電子ペン用の書籍管理票に関する。
【０００２】
【従来の技術】
書籍の注文、返品、在庫などの管理を行うために、出版業界では、例えば図１０に示されるような短冊形状の管理票（以下、書籍管理票という）が利用されている。書籍管理票には、書籍の名称、出版社、価格などの他、書籍の注文数を記入する欄、さらにＩＳＢＮコードと呼ばれる英数字からなる書籍を特定するためのコードデータ４６が付与されている。
ＩＳＢＮコードとは、
ＩＳＢＮ４−９９９９９−９９９−９　Ｃ９９９９　￥９９９９
のように示されるコードで、
ＩＳＢＮに続く１０桁の数字で構成されおり、ＩＳＢＮの表示に続く数字が国別記号（例えば、日本語は「４」）、次の４桁の数字が出版社コード、次の３桁の数字が書名コード、最後の１桁の数字がチェック用の数字を意味している。
日本においては、さらに分類コード（Ｃで始まる数字）とか価格コード（￥９９９９）を前記１０桁のコードに続けたものが一般的に用いられており、これらを含むコード全体をＩＳＢＮコードと称している。
【０００３】
以下、本願においては、書籍管理票で扱われる情報を書籍管理情報と呼び、書籍管理情報は、例えば、前記ＩＳＢＮコードのような書籍の種類を特定するためのコード体系、その他書籍の名称、著者名、価格、発行日、発行所、編集者先、書籍を発注する書店名、発注部数、発注日などによって構成される。
書籍管理票は、図１０（ａ）の如く、書籍管理情報が、印刷機により一括印刷、あるいはプリンター装置により印字した帳票を所定の形状に断裁して得られる。書籍から書籍管理票を引き抜き易くするノッチ（半円状のつまみ）４５が断裁時に形成される。
そして上記断裁された書籍管理票は、図１０（ｂ）の如く中央付近から折り曲げて、書籍に挟んで用いる。
書店においては、書籍を販売した際に、前記管理票を書籍から抜き取る。抜き取られた書籍管理票に基づき書店は書籍の注文や書籍の在庫管理を行う。
注文に際しては、書籍管理票自体を注文票として利用するやり方、即ち、書籍管理票に発注書店名と注文冊数を記入し、これを取次店に渡すことで注文するやり方がある。
【０００４】
【特許文献１】
特開２００１−２４０２１７号公報
【０００５】
【特許文献２】
ＷＯ０２／３９３７７
【０００６】
【発明が解決しようとする課題】
従来の書籍管理票を利用して書籍の注文や在庫管理などを行おうとすると、ＰＯＳシステム等の専用の仕組みを保有する大規模書店ならば、書籍の背表紙に形成されたＩＳＢＮコードに対応するバーコードを機械的に読み込み、独自のデータベース上で書籍管理を行い、書籍の注文や在庫管理が可能である。
しかしながら、取次店に対する注文は、前記ＰＯＳシステムとは別に、書籍管理票を利用して行なうことになり、ＰＯＳシステムが活かされないという課題がある。
【０００７】
また、ＰＯＳシステムのような専用の仕組みを用いずに、手作業で書籍の注文を行なう場合は、書籍管理票に注文冊数や書店名を記入する手間がかかる。さらに在庫管理をしようとすると、書籍管理票の情報を別途帳簿へ転記する手間がかかる。またパソコン等を利用し管理情報のデータベース化を図る場合においては更にデータ入力の手間がかかるという課題がある。
また、書籍管理票に管理データを記録した非接触タグを付し、これを端末装置で読み取るやり方も試みられているが、非接触タグへのデータ書き込み、非接触タグを書籍管理票に貼るなどの作業が必要であること、専用の端末装置を書店や取次店に用意する必要がある等の課題がある。
本発明は、上記のような課題を解決するために、汎用的な電子ペンを用いることで、従来の書籍管理票の製造工程を利用して製造できる書籍管理票により、書籍の注文や在庫管理を行なうため情報の記入（入力）や情報の読み取りを行なえる書籍管理票の提供を目的とする。
【０００８】
【課題を解決するための手段】
本発明の電子ペン用書籍管理票は、以下の各請求項に記載の手段により解決される。
（請求項１）　書籍の注文、返品、在庫などの管理を行うために書籍に付して使用する短冊形状の書籍管理票（４０）において、
インクペンユニットと光学的にドットパターン（３２）を読み取る読取ユニット及び読み取った情報を外部に伝達する情報伝達手段とを備える電子ペン（１０）により、書籍の種類を特定する書籍コード情報（例えば、ＩＳＢＮコードに代表される書籍の種類を特定するコードデータ（４６））を含む書籍管理情報を取得するために、前記書籍管理票（４０）は、前記読取ユニットにより光学的に読取可能に設けられたドットパターン領域を備えていることを特徴とする電子ペン用書籍管理票。
（請求項２）　前記書籍管理票（４０）のドットパターン領域には、書籍管理情報の記入部、及び／又は書籍管理情報読み取り用パターンと、を備えていることを特徴とする請求項１記載の電子ペン用書籍管理票。
（請求項３）　前記書籍管理票（４０）の表側の面には、目視可能な書籍管理情報を形成し、前記書籍管理票の裏側の面には、前記ドットパターン（３２）が形成されていること、を特徴とする請求項１または２記載の電子ペン用書籍管理票。
（請求項４）　前記読み取り用パターンはバーコード（４２）であること、を特徴とする請求項１乃至３の何れかに記載の電子ペン用書籍管理票。
（請求項５）　前記読み取り用パターンはチェックボックス（４１）であり、各チェックボックス（４１）毎に予め定められたドットパターン（３２）が形成されていること、を特徴とする請求項１乃至３の何れかに記載の電子ペン用書籍管理票。
（請求項６）　前記ドットパターン（３２）を裏側の面に形成し、前記表側の面に形成した目視可能な書籍管理情報の少なくとも一部を折返すことで、前記ドットパターン（３２）の形成され面から、前記書籍管理情報の少なくとも一部を目視可能にしたこと、を特徴とする請求項５記載の電子ペン用書籍管理票。
（請求項７）　前記書籍管理票（４０）には、電子ペン（１０）が読み取った情報を、当該電子ペン（１０）から外部装置へ送信することを指示するための送信指示に対応するドットパターンの形成された送信指示部、即ち送信ボックス（３９）を有すること、を特徴とする請求項１乃至６の何れかに記載の電子ペン用書籍管理票。
（請求項８）　前記書籍管理票（４０）には、電子ペン（１０）が読み取った情報を、１枚の書籍管理票から得られる情報を単位レコードとして区切るための区切り指示に対応するドットパターンの形成された区切り指示部、即ち新規レコードボックス（４３）、追加レコードボックス（４４）を有すること、を特徴とする請求項１乃至７の何れかに記載の電子ペン用書籍管理票。
（請求項９）　前記ドットパターン（３２）は書籍の種類ごとに異なるパターンであること、即ち書籍に付与されるＩＳＢＮコードに代表される書籍の種類を特定するコードデータ（４６）ごとに異なる体系のドットパターン３２定めることで、書籍管理票の任意の位置のドットパターンを電子ペン（１０）で読み取るだけで書籍のＩＳＢＮコードを特定できるようにしたことを特徴とする請求項１記載の電子ペン用書籍管理票。
（請求項１０）　前記ドットパターン（３２）は書籍を発注する書店ごとに異なるパターンであること、即ち、書籍を発注する書店ごとに異なる体系のドットパターン３２を定めることで、書籍管理票の任意の位置のドットパターンを電子ペン（１０）で読み取るだけで、発注書店を特定できるようにしたことを特徴とする請求項１記載の電子ペン用書籍管理票。
【０００９】
【発明の実施の形態】
以下、本発明の実施の形態を図面に基づいて詳細に説明する。
【００１０】
［電子ペン］
まず始めに、電子ペンについて説明する。
図１は電子ペン１０の使用形態を模式的に示す図であり、図２は、電子ペン１０の構造を示す機能ブロック図である。図１に示すように、電子ペン１０は、ドットパターン３２が形成された専用ペーパー２０と組み合わせて使用される。
電子ペン１０は、通常のインクペンと同様のペン先部１７を備えており、利用者は通常のインクペンと同様の専用ペーパー２０上に文字などを書くことになる。
【００１１】
図２に示すように、電子ペン１０は、その内部にプロセッサ１１、メモリ１２、Ｂｌｕｅｔｏｏｔｈトランシーバ１３、バッテリー１４、赤外線ＬＥＤ１５、カメラ１６及び圧力センサ１８を備える。
また、電子ペン１０は、通常のインクペンと同様の構成要素としてインクカートリッジ（図示せず）などを有する。
【００１２】
電子ペン１０は、ペン先部１７により専用ペーパー２０上に描かれたインクの軌跡をデータ化するのではなく、専用ペーパー２０上で電子ペン１０が移動した軌跡座標をデータ化する。
赤外線ＬＥＤ１５が専用ペーパー２０上のペン先部１７近傍を照明しつつ、カメラ１６が専用ペーパー２０に形成されているドットパターン３２を読み取り、データ化する。
つまり、電子ペン１０は、専用ペーパー２０上で利用者が電子ペン１０を移動させることにより生じるストロークを画像データ又はベクトルデータとして取得することができる。
【００１３】
圧力センサ１８は、利用者が電子ペン１０により専用ペーパー２０上に文字などを書く際にペン先部１７に与えられる圧力、即ち筆圧を検出し、プロセッサ１１へ供給する。
プロセッサ１１は、圧力センサ１８から与えられる筆圧データに基づいて、赤外線ＬＥＤ１５及びカメラ１６のスイッチオン／オフの切換を行なう。
即ち、利用者が電子ペン１０で専用ペーパー２０上に文字などを書くと、ペン先部１７には筆圧がかかる。よって、所定値以上の筆圧が検出されたときに、利用者が記述を開始したと判定して、赤外線ＬＥＤ１５及びカメラ１６を作動する。
【００１４】
カメラ１６は専用ペーパー２０上のドットパターンを読み取り、そのパターンデータをプロセッサ１１に供給する。
プロセッサ１１は、供給されたドットパターンから、専用ペーパー２０上でのＸ／Ｙ座標を算出する。
【００１５】
プロセッサ１１は、利用者の記述が行われる間に、筆圧の配列データ及びＸ／Ｙ座標データを取得し、タイムスタンプ（時間情報）と関連付けてメモリ１２に記憶していく。
よって、メモリ１２内には、利用者の記述内容に対応するデータが時系列で記憶されていく。メモリ１２の容量は例えば１Ｍバイト程度とすることができる。
【００１６】
利用者により送信指示がなされるまでは、取得された全てのデータはメモリ１２内に保持される。
そして、利用者が送信指示を行うと、外部への情報伝達手段の一例であるＢｌｕｅｔｏｏｔｈトランシーバ１３により、電子ペン１０と所定距離内にある端末装置２５へのメモリ１２内のデータが送信される。
基本的には一度送信指示がなされると、電子ペン１０はメモリ１２内に記憶していた全ての情報が端末装置２５へ送信されるため、メモリ１２内はクリアされる。
よって、電子ペン１０から端末装置に情報を送信した後に、もう一度同じ情報を端末装置２５へ送信したい場合には、利用者は専用ペーパー２０上に再度記述を行う必要がある。
なお、この場合、利用者は専用ペーパー２０上にインクペンで書かれた文字などをなぞればよいことになる。
【００１７】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。（以下、前記送信指示のための専用ボックスを送信ボックス３９と呼ぶ。）
送信ボックス３９の位置座標には、予め送信指示が対応付けられており、プロセッサ１１は送信ボックス３９の位置座標を受信すると、Ｂｌｕｅｔｏｏｔｈトランシーバ１３にメモリ１２内のデータを供給し、端末装置２５へ送信を行わせる。なお、電子ペン１０は、ディスプレイやボタンなどを持たないが、データの送信完了を電子ペンの振動のより示すことができる。
本発明の情報伝達手段は、上記の例で示したＢｌｕｅｔｏｏｔｈトランシーバのような無線方式に限られるものではなく、ケーブル接続方式でも、何らかの記録媒体経由での伝達方式でもよい。
【００１８】
バッテリー１４は、電子ペン１０内の各要素に電源供給するためのものであり、例えば、電子ペンのキャップ（図示せず）により電子ペン１０自体の電源オン／オフを行うことができる。
【００１９】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。
即ち、紙の原本に対して記述するのと同時に、その内容を座標データなどの形態でリアルタイムに電子化することができる。
【００２０】
なお、電子ペン１０の標準機能によれば、電子ペン１０により得られるデータは、原則として座標データ又はベクトルデータ（ストロークデータ）の形態であり、テキストデータではない。
但し、電子ペン１０は標準機能として、専用ペーパー２０上に設けられた専用エリアに記述することにより、英数字に限りテキスト化する座標データやベクトルデータから、文字認識アプリケーションを利用してテキストデータを得ることはもちろん可能である。
【００２１】
また、電子ペン１０内には、ペン自体及びその所有者に関するプロパティ情報（ペン情報及びペン所有者情報）を保持することができ、アプリケーションから参照することができる。
ペン情報としては、バッテリーレベル、ペンＩＤ、ペン製造者番号、ペンソフトウェアのバージョン、サブスクリプションプロバイダのＩＤなどを保持できる。
また、ペン所有者情報としては、国籍、言語、タイムゾーン、メールアドレス、空きメモリ容量、名前、住所、ファックス／電話番号、形態電話番号などを保持することができる。
【００２２】
次に、電子ペンにより利用者が記述した内容のＸ／Ｙデータを所得する方法について説明する。
前述のように専用ペーパー２０には、所定のドットパターン３２が形成されている。電子ペン１０のカメラ１６は、利用者が専用ペーパー２０上に記述したインクの軌跡を読み取るのではなく、専用ペーパー２０上のドットパターン３２を読み取る。
実際、図１に示すように、赤外線ＬＥＤ１５による照明領域及びカメラ１６の撮影領域（照明領域に位置する）は、ペン先部１７が専用ペーパー２０に接触する位置とはずれている。
【００２３】
ドットパターン３２は、カーボンを含む専用インキなどで形成されており、カメラ１６はその専用インキによるパターンのみを認識することができる。
専用インキ以外のインキ（カーボンを含まない）により、専用ペーパー２０上に罫線や枠などを形成しても、電子ペンはそれらを認識することはない。よって、専用ペーパー２０を利用して各種申込書などの帳票を作成する際は、専用インキ以外のインキで入力枠や罫線、注意書きなどを形成する。
【００２４】
ドットパターン３２は、図３に例示するように、各ドットの位置がデータに対応付けされている。
図３の例では、ドットの位置を格子の基準位置（縦線及び横線の交差点）から上下左右にシフトすることにより、０〜３の２ビット情報を表示した例である。このようにして表現された情報の組み合せにより、専用ペーパー２０上の位置座標が決定される。
【００２５】
図４（ａ）に例示するように、縦横約２ｍｍの範囲内に３６個のドットが格子状に配置され、これらのドットにより示されるデータの配列（図４（ｂ））が、専用ペーパー２０上の位置座標を対応付けしている。
よって、電子ペン１０のカメラ１６から入力されるドットパターン３２を撮影すると、プロセッサ１１はカメラ１６から入力されるドットパターン３２のデータに基づいて、図４（ｂ）に示すデータ配列を取得し、それに対応する専用ペーパー２０上の位置座標（即ち、そのドットパターン３２がその専用ペーパー上のどの位置にあるか）をリアルタイムで算出する。
なお、ドットパターン３２を認識する最小単位は２ｍｍ×２ｍｍであり、カメラ１６は毎回毎秒１００回程度の撮影を行う。
【００２６】
［電子ペン用専用ペーパー］
次に、専用ペーパー２０について説明する。
専用ペーパーの構造の一例を図５に示す。図示のように、専用ペーパー２０は、台紙３０上にドットパターン３２が形成され、その上に罫線などの図案３４が形成されている。
台紙３０は通常の紙であり、ドットパターン３２は前述のようにカーボンを含んだ専用インキにより形成されている。
また、通常のインキなどにより図案３４が形成されている。ドットパターン３２と図案とは、同時に形成してもよいし、いずれかを先に形成してもよい。
また、ドットパターン３２は、台紙３０の全面に形成した例を示したが、台紙の一部に形成するようしてもよい。
【００２７】
専用ペーパー２０上の領域は大きく２種類の領域に分けることができる。
１つは記入エリアであり、電子ペン１０による記述内容をそのまま情報として取り扱うエリアである。
図５の例では複数の記入欄３８がこれに該当する。
もう１つは機能エレメントであり、対応するエリア内の電子ペン１０でチェックした際に、予めそのエリアに対して定義されているアクション、指示などを実行するようになっている。
図５の例において送信ボックス３９がこれに該当する。
送信ボックス３９は前述したように電子ペン１０内に記憶されているデータを近傍の端末装置２５へ送信するための指示を行う際に使用される。
利用者が送信ボックス３９内のドットパターンを読み取る。当該パターンは送信指示に対応付けられており、電子ペン１０内のプロセッサ１１はＢｌｕｅｔｏｏｔｈトランシーバ１３にメモリ１２内の記憶データの送信命令を発する。
【００２８】
ドットパターン３２の割り当ては、通常、書籍の種類毎に行われる。即ち、書籍管理票内のドットパターンは一枚の書籍管理票の中で重複することはないが、同じ種類の書籍の書籍管理票には全て同じドットパターン３２が形成されている。
前述のようにドットパターン３２の形成されているエリアは何を意味するのかが予め定義されている。
よって、利用者が電子ペン１０で書籍管理票に必要事項を入力すると、その入力事項がその書籍管理票のどの項目に対応するものであるかを、書籍管理票上の座標データから特定することができる。
このように、ドットパターン３２を形成した専用ペーパー２０上に書籍管理に必要な記入部をデザインし形成することにより、電子ペン１０により書籍管理情報を記入することで、記入した情報を自動的に電子データ化可能な書籍管理票が作成できる。
【００２９】
なお、ドットパターン３２の形成、あるいは記入部を示す罫線枠、その他必要な情報の形成は、予め製版された印刷版をオフセット印刷機等の所謂印刷装置を用いて印刷形成する手段（以下、単に「印刷」または「印刷形成」という）、またはコンピュータに接続され制御される所謂プリンター装置に、該コンピュータからのデータを送りプリント形成する手段（以下、単に「プリント」または「プリント形成」という。）により行なわれる。
【００３０】
印刷機による印刷は、大量に同じものを製造するのに適する。よって、印刷により書籍管理票を作成する場合は、書籍の種類、即ちＩＳＢＮコードに代表される書籍の種類を特定するコードデータ４６ごとに書籍管理票に形成するドットパターン３２を変えることは事実上困難な場合があるので、その場合は、全ての書籍管理票４０に同じドットパターン３２を形成することになる。この場合は、書籍の種類を判別するために後述のコードデータ入力手段を書籍管理票に設ける。
【００３１】
また、プリンター装置により書籍管理票をプリント形成する場合は、プリンター装置に送るデータを書籍の種類毎に用意しておけばよいので、書籍の種類、即ちＩＳＢＮコードに代表される書籍の種類を特定するコードデータ４６ごとに異なる体系のドットパターン３２を定め、これを書籍管理票にプリント形成する。この場合は、書籍管理票４０に形成される任意の位置のドットパターン３２を電子ペン１０で読取るだけで書籍の種類、例えばＩＳＢＮコートが判別される。したがって、書籍の種類を判別するためのコードデータ入力手段等を書籍管理票に設ける必要が無い。
また、書籍を発注する書店ごとにドットパターンを変えることも可能である。この場合は、書籍を発注する書店ごとに異なる体系のドットパターン３２を定め、これを書籍管理票にプリント形成する。この場合は、書籍管理票４０に形成されるの任意の位置のドットパターンを電子ペン１０で読み取るだけで、発注書店を特定できる。
なお、全ての書籍管理票に同一のドットパターンを形成する場合であっても、書籍管理票をプリンタ装置でプリント形成してもよいことは言うまでもない。
【００３２】
［データ送信処理］
次に、電子ペンにより取得したデータの送信処理について説明する。
前述のように、電子ペン１０の通信機能（情報を外部に伝達する情報伝達手段）はＢｌｕｅｔｏｏｔｈによるものであり、専用ペーパー２０に入力したデータを取り扱うサービスサーバ（特定の申込書であれば、その申込先のサーバということになる）に対して電子ペン１０から直接的にデータを送信することはできない。
よって、電子ペン１０により取得したデータは、端末装置２５からサービスサーバへ送信される。
【００３３】
その際の処理を図２を参照して説明する。
電子ペン１０が取得したデータは、主として利用者が入力した事項のデータであるが、通常はそのデータの送信先であるサービスサーバ２７がどこであるかの情報は含まれていない。
その代わりに、その専用ペーパーに関するアプリケーションやサービスを特定する情報が専用ペーパー上に印刷されており、利用者の入力作業中に専用ペーパーからその情報が取得されている。
よって、電子ペン１０から入力データを受け取った端末装置２５は、まず、問い合わせサーバ２６に対して、その専用ペーパーに対して入力されたデータをどのサービスサーバ２７へ送信すべきかの問い合わせを行う。
問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。
それから、端末装置２５は、電子ペン１０から取得した入力データをそのサービスサーバ２７へ送信することになる。
【００３４】
本発明では、書店に電子ペン１０と端末装置２５を用意し、取次店には、サービスサーバ２７が置かれている。書店において、電子ペン１０を用いて書籍管理票４０へのデータ記入と同時に書籍管理情報を取得し、書店の端末装置２５を経由して、問い合わせサーバー２６にデータが渡り、問い合わせサーバー２６において電子ペン１０からのデータが解釈され、指定の取次店のサービスサーバー２７にデータが送られる。取次店においては、書店から送られてきた書籍管理情報を基に書籍の手配が行われる。
【００３５】
［コードデータ入力］
次に電子ペンを利用した本発明の書籍管理票への情報記入あるいは情報の取得に関する具体的な手法について解説する。
まず、電子ペン１０を利用したコードデータの入力方法について図６を参照して説明する。前述のように電子ペンの標準機能としては電子ペンで描いた軌跡をベクトルデータとして取得するものであるが、以下の方法により、利用者ＩＤコード、ＩＳＢＮコード、その他コード等を、専用ペーパー２０を使用して入力することができる。
【００３６】
コードデータ入力の第１の方法は、図６（ａ）に示すようなコードデータ入力欄を書籍管理票４０上に予め印刷しておく方法である。図６（ａ）において、各数字に対応するチェックボックス４１は、書籍管理票４０を構成する専用ペーパー上に、通常のインキにより印刷される。各枠の数値は、そのチェックボックス４１内のドットパターンが示すコードデータと対応付けられている。即ち、最も左上のチェックボックス内のドットパターンはコードデータの７桁目がゼロであることを示し、右下のチェックボックス内のドットパターンはコードデータの１桁目が９であることを示す。そのようなドットパターンとコードデータを構成する桁数及び数字の情報は、相互に対応づけられて例えばサービスサーバ２７内にコードデータ対応付け情報として保存される。なお、コードデータ対応付け情報として扱う情報は、前記のような数字に限らずアルファベットでも記号でも何でもよい。
【００３７】
よって、利用者は、例えば、書籍管理票４０のＩＳＢＮコードに対応するチェックボックス４１に電子ペン１０でチェックを入れれば、それに対応するコードデータ４６が端末装置２５を経由してサービスサーバ２７へ送信される。サービスサーバ２７内のアプリケーションは、コードデータ対応付け情報を参照して、利用者が入力したＩＳＢＮコードを所得することができる。
【００３８】
なお、コードデータ対応付け情報を端末装置２５内に記憶させ、端末装置２５内に用意したアプリケーションが、コードデータ対応付け情報を参照してドットパターンに対応するコードデータを取得するようにもできる。
【００３９】
通常のマークシートでは、楕円形などの記入欄を正確に塗りつぶす必要があるが、電子ペンを利用したコードデータ入力欄では、チェックボックス内にチェックするだけで、電子ペンに備えられたカメラがドットパターンを認識するので、容易に入力することができる。
【００４０】
また、特に書籍管理票は、書籍に挟んで利用することが前提であるため、大きさに制限がある。この様な場合は、図６（ｂ）に示すような０から９の数字を表すのに最低必要な４ビット型の入力欄を使用することができる。この場合は、各桁について入力される１つ又は複数のチェック位置の組み合せにより、入力されたコードデータを特定することができる。
【００４１】
コードデータ入力の第２の方法は、図６（ｃ）に示すようなバーコードタイプの入力欄を専用ペーパー（書籍管理票）のドットパターン形成面に設ける方法である。
具体的には、図６（ｃ）に示すように、ドットパターン３２が印刷された専用ペーパー上にドットパターンが欠落した部分を帯状に形成しておく。この帯状のパターンは、予め特定のコードデータをバーコード化して得られる。電子ペンはペンの移動軌跡に対応する位置の座標データを専用ペーパーから読み取るので、パターンの欠落部を予め帯状に作っておき、その上を電子ペンでなぞれば、図６（ｃ）に示すように、パターンの欠落で不連続となったパターンが所得できる（図６（ｃ）の取得データ）。
このパターンをバーコードのように利用し、コードデータと対応付けておけば、利用者は電子ペンでパターン上をなぞるだけで対応するコードデータを入力することができる。
よって、書籍管理票側にＩＳＢＮコードに対応するバーコードを形成しておき、利用者が電子ペンで前記バーコードをなぞることで、ＩＳＢＮコードを端末装置に取り込むことができる。
ＩＳＢＮコードのバーコードは、現行のＰＯＳ端末で利用されるバーコードと共通のものを利用することができ、しかも汎用の電子ペンからコードデータの取得ができる。
【００４２】
図６（ｃ）に示すパターンの欠落部は、ドットパターンの印刷時にドットパターンを印刷しないこととして作成することができる。また、欠落部なしで作成された通常の書籍管理票に対して、インクジェットプリンターやトナーを用いた記録により、カーボンを含む専用インキやトナーで帯状のパターンをプリントすることにより、後からバーコードを作成することもできる。帯状パターンの部分はカーボンを含むインキやトナーがドットパターンを覆うため、電子ペンはドットパターンを読めなくなり、その結果、図６（ｃ）に示すような不連続なパターンが取得データとして得られる。
なおコードデータの例としてＩＳＢＮコードを挙げたが、これに限らず、書店コード、出版社コード、書籍の価格を示すデータ等どのようなコードでもよい。
【００４３】
以上のような電子ペンを利用して情報の書き込み並びに情報の取得可能な専用ペーパーを書籍管理票に応用した場合の具体例を図７、図８に示す。
図７（ａ）は、書籍管理票４０の表側図案の例であり、ＩＳＢＮコード（ＩＳＢＮ１２３４）、書店名（○○○書店）、出版社名（×××出版）、書名（××講座入門）、注文数記入欄（注文数　　冊）、バーコードなどが印刷されている。
図７の裏面にはドットパターン３２が全面に印刷されており、ＩＳＢＮコード等のコードデータ４６を読み込むチェックボックス４１、バーコード４２、記入欄３８、送信ボックス３９が通常のインクにより印刷されている。
利用者は、ドットパターン３２を意識することなく、電子ペン１０を使用して記入欄３８への必要事項の記入、チェックボックス４１へのチェックマークの記入、あるいはバーコード４２を電子ペン１０でなぞる行為をすればよい。
【００４４】
図７の書籍管理票からＩＳＢＮコードを取得するやり方について説明する。図７の例は、書籍管理票の裏面ドットパターン３２を形成することで、表面は通常の所の書籍管理票として利用できるようにした。即ち、通常の書籍管理票の多くはバーコードが形成されており、このバーコードは読み取りエラー防止の観点からカーボンを含むインキで形成されている。前述のごとく電子ペン用の専用ペーパーのドットパターンもカーボンを含むインキで形成されているため、両者を別々の面に形成するようにした。さらに書籍管理票はサイズが小さいので、裏面を利用した方がデザイン上の制約も少ない。また、印刷の手間を考えるとＩＳＢＮコードは書籍管理票の片面にのみが好ましい。
従って、書籍管理票４０は、その表側にＩＳＢＮコードが印刷し、裏面にドットパターン３２とコードデータ入力のためのチェックボックス４１を形成することで、前述の第１のコードデータ入力方法でコードデータ４６の取得が可能である。
【００４５】
このとき、図７（ｂ）に示すように、チェックボックス４１への入力を容易にするため、表面のＩＳＢＮコード部分を裏面側に折り曲げ、チェックボックスの各桁とＩＳＢＮコードの各桁の位置が対応するように工夫されている。
また、電子ペンを利用してバーコードからのデータ取得する場合は、図７（ｂ）の如く、ドットパターン形成面にバーコード４２を形成することで、前述の第２のコードデータ入力方法でコードデータ４６の取得が可能である。
【００４６】
記入欄３８は電子ペン１０で記載した文字図柄をベクトルデータとして取得するためのエリアである。メモや取次店への通信欄として利用でき、電子ペンで記入するだけで電子データとして書店のコンピュータに情報取り込んだり、取次店のサーバーにデータを送ることができる。
【００４７】
図８は、書籍管理票の長手方法にＩＳＢＮコードが形成されている場合の例である。図７の例と同様に裏側に折り曲げて使用する。ＩＳＢＮコードの桁が長い場合や、ＩＳＢＮコード以外のコード（図示せず）を扱う場合は特に便利である。
【００４８】
次に、複数の書籍管理票の一括扱い手段について説明する。
複数の書籍管理票を扱う際に、一枚一枚入力する度に送信ボックスにチェックを入れて送信すると作業能率が悪いので、これを改善するために複数の書籍管理票への書籍管理情報の記入及び／または取得が完了した時点で、まとめて一括送信する手段を備えた書籍管理票について図９を参照して説明する。
図９は、書籍管理票のドットパターン形成面（図９はドットパターンを図示せず）を示しており、そこには、上述のチェックボックス４１、記入部３８、送信ボックス３９に加えて、新規レコードボックス４３、追加レコードボックス４４が形成されている。
【００４９】
新規レコードボックス４３は、書籍管理票が新規のものであることをチェックするためのもので、書籍管理情報の記入及び／または取得を開始する際に、最初に電子ペンでチェックを入れるための枠である。新規レコードボックス４３に形成されているドットパターンは、新規レコードであることが予め定義された特有のドットパターンで構成される。
利用者が電子ペンで新規レコードボックス４３にチェックを入れると、電子ペンは、新規レコードボックス４３の枠内のドットパターンを読み取る。そして、電子ペン１０内のプロセッサ１１が、当該新規レコードボックス４３の枠内にチェックされたＸ／Ｙ座標のストロークデータを取得し、電子ペン１０のメモリ１２に新規レコードとして記憶するようになっている。
【００５０】
追加レコードボックス４４は、利用者が一枚の書籍管理票の扱いを終えた後、直ちに送信せずに、別の書籍管理票の扱いを行う場合に、電子ペン１０によりチェックを入れる枠である。利用者が電子ペンで追加レコードボックスにチェックを入れると、電子ペンは、追加レコードボックス４４の枠内のドットパターンを読み取る。そして、電子ペン１０内のプロセッサ１１が、当該追加レコードボックス４４の枠内にチェックされたＸ／Ｙ座標のストロークデータを取得し、電子ペン１０のメモリ１２に追加レコードとして記憶するようになっている。
即ち、書籍管理票の扱いを続ける限り、追加レコードボックス４４にチェックをいれる。一連の書籍管理票の扱いが終了したときに送信ボックス３９にチェックを入れることで、その時点で、電子ペン１０のメモリ１２に記憶されている複数の書籍管理情報の全データが一括して端末装置２５に送信される。
よって、メモリ１２内のデータは、新規レコードを意味する情報がデータの先頭に付与され、個々の書籍管理票に対応するデータが単位レコードとなるように、追加レコードを意味する情報が付与される。
【００５１】
なお、書籍管理票の扱いが一枚のみの場合は、追加レコードボックスにチェックを要れる必要はなく、そのまま送信ボックス３９にチェックを入れればよい。一方、利用者が電子ペンで複数枚の書籍管理票を扱った後に、送信するために電子ペンでチェックする送信ボックスは、扱った複数の書籍管理票のいずれか一枚の送信ボックス（通常は、最後に扱った書籍管理票の送信ボックス）にチェックを入れればよい。
【００５２】
以上の手段により複数の書籍管理票からのデータは、電子ペン内のメモリ１２にデータ列群として連続した状態で、端末装置２５に送られる。
一方、端末装置２５側においては、前記データ列群を分割して、個々の書籍管理票に対応する独立した書籍管理情報に戻す必要がある。そのために端末装置２５において、複数の書籍管理票を一括したデータ列群の場合は、個々の書籍管理票に対応する独立した書籍管理情報に戻すアプリケーションプログラムを用意する。このアプリケーションプログラムは、前記新規レコードを示す情報、並びに追加レコードを示す情報を判別して、データ列群を分割するようになっている。
【００５３】
【発明の効果】
以上説明したように、本発明によれば、書籍管理票は、印刷装置による印刷、あるいは、プリンター装置によるプリントにより作ることができるので、非接触タグ等を利用した方式に比べて、安価な投資で書籍管理の電子化が図れる。
【００５４】
また、本発明によれば、汎用の電子ペンを用いることで、書籍管理票への情報記入と同時に記入した情報が電子化されるので、書籍管理のためのデータ作成作業を別途行う必要がなく業務効率の向上が図れる。
【００５５】
また、本発明の書籍管理票の裏面に電子ペン用のドットパターンを形成する形態によれば、限られた大きさの書籍管理票を有効に利用できる。特に、表面に形成された例えばＩＳＢＮコードのような書籍管理に必要なコードデータを折り返すことで、裏面の形成されたチェックボックスを利用して効率的にコードデータの入力が行える。
【００５６】
また、ＩＳＢＮコードに代表される書籍の種類を特定する書籍コードデータごとに異なる体系のドットパターンを用意しておけば、書籍管理票に形成されるドットパターン領域中の任意の位置のドットパターンを電子ペンで読み取るだけで、書籍の種類を特定することができる。
【００５７】
また、書籍を発注する書店ごとに異なる体系のドットパターンを用意しておけば、書籍管理票に形成されるドットパターン領域中の任意の位置のドットパターンを電子ペンで読み取るだけで、発注書店を特定することができる。
【図面の簡単な説明】
【図１】電子ペンの使用形態を模式的に示す図である。
【図２】電子ペンの構造を示す機能ブロック図である。
【図３】専用ペーパーに形成されたドットパターンによる情報の表現方法を説明する図である。
【図４】ドットパターン及びそれに対応する情報の例を示す図である。
【図５】専用ペーパーにより構成される帳票（書籍管理票）の構造を示す図である。
【図６】コードデータの入力方法を説明する図である。
【図７】本発明の書籍管理票の例を示す図である。
【図８】本発明の書籍管理票の他の例を示す図である。
【図９】本発明の書籍管理票の他の例を示す図である。
【図１０】従来の書籍管理票の例を示す図である。
【符号の説明】
２　ネットワーク
１０　電子ペン
１７　ペン先
２０　専用ペーパー
２５　端末装置
２６　問い合わせサーバー
２７　サービスサーバー
３２　ドットパターン
３８　記入部
３９　送信ボックス
４０　書籍管理票
４１　チェックボックス
４２　バーコード
４３　新規レコードボックス
４４　追加レコードボックス
４６　コードデータ
４５　ノッチ
【図１】
2004118575.tif 000003
【図２】
2004118575.tif 000004
【図３】
2004118575.tif 000005
【図４】
2004118575.tif 000006
【図５】
2004118575.tif 000007
【図６】
2004118575.tif 000008
【図７】
2004118575.tif 000009
【図８】
2004118575.tif 000010
【図９】
2004118575.tif 000011
【図１０】
2004118575.tif 000012